(57)【要約】 【課題】利用者が自然な生活習慣の中で、且つ意識への浸透度合が高いタイミングで自己改善内容を聴くことを可能にする。【解決手段】再生プログラムと、複数種類の自己改善内容の音声メッセージと、複数種類の覚醒音とを格納する配信サーバ１００が、通信ネットワーク３００を介して接続する携帯電話２００に、配信要求に基づき再生プログラムを配信し、自己改善内容の音声メッセージの指定情報に基づき自己改善内容の音声メッセージを配信し、覚醒音の指定情報に基づき覚醒音を配信する。再生プログラムに従う携帯電話２００では、再生する自己改善内容の音声メッセージと自己改善内容の音声メッセージの前や後に再生する覚醒音が設定され、携帯電話２００は、起床時の設定時刻の到来に基づき、アラーム音として自己改善内容の音声メッセージと覚醒音を連続再生する。【選択図】図２
2005270620.tif 000002
【特許請求の範囲】
【請求項１】
格納され再生を設定されている自己改善内容の音声メッセージ、及び格納され該音声メッセージの前若しくは後若しくは前後に再生を設定されている覚醒音とを、設定時刻の到来に基づき認識して連続再生する機能をクライアント端末に実現させる再生プログラムと、複数種類の自己改善内容の音声メッセージと、複数種類の覚醒音とを格納するサーバ装置が、通信ネットワークを介して接続するクライアント端末に、自己改善関連データを提供する方法であって、クライアント端末から、再生プログラムの配信要求を受信して、該配信要求に基づき再生プログラムをクライアント端末に配信し、自己改善内容の音声メッセージの指定情報と覚醒音の指定情報を受信して、各指定情報に対応する自己改善内容の音声メッセージと覚醒音をクライアント端末に配信することを特徴とする自己改善関連データの提供方法。
【請求項２】
複数の音声者による同一の自己改善内容の音声メッセージを格納するサーバ装置が、受信する指定情報に基づき所定音声者による自己改善内容の音声メッセージをクライアント端末に配信することを特徴とする請求項１記載の自己改善関連データの提供方法。
【請求項３】
前記自己改善内容の音声メッセージが表示可能な再生時間のデータを有することを特徴とする請求項１又は２記載の自己改善関連データの提供方法。
【請求項４】
インターバル時間データを格納するサーバ装置が、インターバル時間の指定情報を受信して、該指定情報に基づきインターバル時間データをクライアント端末に配信することを特徴とする請求項１、２又は３記載の自己改善関連データの提供方法。
【請求項５】
前記インターバル時間データが無音データであることを特徴とする請求項１、２、３又は４記載の自己改善関連データの提供方法。
【請求項６】
前記クライアント端末が小型携帯情報端末であることを特徴とする請求項１、２、３、４又は５記載の自己改善関連データの提供方法。
【請求項７】
格納され再生を設定されている自己改善内容の音声メッセージ、及び格納され該音声メッセージの前若しくは後若しくは前後に再生を設定されている覚醒音とを、設定時刻の到来に基づき認識して連続再生する機能をクライアント端末に実現させる再生プログラムと、複数種類の自己改善内容の音声メッセージと、複数種類の覚醒音とを格納するサーバ装置から、通信ネットワークを介して接続するクライアント端末に、自己改善関連データを提供する方法であって、クライアント端末の表示画面で再生プログラムの配信要求の送信を促すステップと、配信要求に基づく再生プログラムをクライアント端末に受信させるステップと、クライアント端末の表示画面で自己改善内容の音声メッセージの指定情報と覚醒音の指定情報の送信を促すステップと、各指定情報に対応する自己改善内容の音声メッセージと覚醒音をクライアント端末に受信させるステップとを備えることを特徴とする自己改善関連データの提供方法。
【請求項８】
複数種類の自己改善内容の音声メッセージと複数種類の覚醒音とを格納するサーバ装置から、通信ネットワークを介して接続するクライアント端末が指定情報の送信に基づき受信し、且つクライアント端末が格納している自己改善内容の音声メッセージ及び覚醒音で、再生を設定されている自己改善内容の音声メッセージ、及び該音声メッセージの前若しくは後若しくは前後に再生を設定されている覚醒音を、設定時刻の到来に基づき認識して連続再生する機能をクライアント端末に実現させることを特徴とする自己改善コンテンツの再生プログラム。
【請求項９】
各再生順位に再生される自己改善内容の音声メッセージが設定され、設定時刻の到来に基づき、各再生順位に再生を設定されている自己改善内容の音声メッセージと覚醒音を認識し、各再生順位の自己改善内容の音声メッセージを順次連続再生しながら自己改善内容の音声メッセージと覚醒音を連続再生する機能をクライアント端末に実現させることを特徴とする請求項８記載の自己改善コンテンツの再生プログラム。
【請求項１０】
自己改善内容の音声メッセージの連続再生回数が設定され、設定時刻の到来に基づき、再生を設定されている自己改善内容の音声メッセージと覚醒音を認識すると共に自己改善内容の音声メッセージの連続再生回数を認識し、該連続再生回数だけ自己改善内容の音声メッセージを連続再生しながら自己改善内容の音声メッセージと覚醒音を連続再生する機能をクライアント端末に実現させることを特徴とする請求項８又は９記載の自己改善コンテンツの再生プログラム。
【請求項１１】
自己改善内容の音声メッセージの音量と覚醒音の音量が別に設定され、各設定音量で自己改善内容の音声メッセージと覚醒音をそれぞれ出力する機能をクライアント端末に実現させることを特徴とする請求項８、９又は１０記載の自己改善コンテンツの再生プログラム。
【請求項１２】
音声メッセージの後に再生を設定されている覚醒音の報知設定時刻が設定され、該報知設定時刻と、自己改善内容の音声メッセージが保持する再生時間を認識可能なデータ、若しくは自己改善内容の音声メッセージと該音声メッセージの前に再生を設定されている覚醒音が保持する再生時間を認識可能なデータとに基づき、該報知設定時刻から該音声メッセージの再生時間若しくは音声メッセージと覚醒音の再生時間だけ遡った前記音声メッセージと覚醒音の連続再生を開始する時刻を取得し、該取得時刻を前記設定時刻として設定する機能をクライアント端末に実現させることを特徴とする請求項８、９、１０又は１１記載の自己改善コンテンツの再生プログラム。
【発明の詳細な説明】
【技術分野】
【０００１】
本発明は、携帯電話などクライアント端末へのコンテンツ配信やクライアント端末でのコンテンツ再生に係り、特に利用者が自らの意識を改善し、望ましい心身の状態や行動を実現するために聴く音声メッセージ等の自己改善関連データを提供する方法、及び前記音声メッセージで構成される自己改善コンテンツの再生プログラムに関する。
【背景技術】
【０００２】
利用者が自らの意識を改善し、望ましい心身の状態や行動を実現するためのコンテンツ配信やコンテンツ再生に関連する公知技術文献に特許文献１がある。特許文献１には、リラクゼーション又はモチベーションを利用者に感じさせる著名セラピスト等による映像や音声等のコンテンツをサーバ装置に蓄積し、サーバ装置からクライアント端末へコンテンツを配信し、ビジネス、スポーツ、芸能、教育、医療等の重要な場面に臨む利用者にコンテンツを視聴させ、利用者の緊張緩和を図ることや士気を高めることが開示されている。
【０００３】
【特許文献１】特開２００２−１０１４０４号公報
【発明の開示】
【発明が解決しようとする課題】
【０００４】
ところで、利用者が自らの意識を恒常的に改善して、恒常的に望ましい心身の状態や行動を実現するためには、利用者が望む同一の自己改善内容を持続して聴き続け、その内容に基づく改善意識を強化し、定着させることが極めて重要である。そのため、自然な生活習慣の中で利用者が自己改善内容を聴けることが望ましい。また、利用者の意識への自己改善内容の浸透度合は、利用者の脳波がα波やθ波の状態のときに高いことから、かような状態のときに利用者が自己改善内容を聴けることが望ましい。
【０００５】
本発明は上記課題に鑑み提案するものであって、その目的は、利用者が自然な生活習慣の中で、且つ意識への浸透度合が高いタイミングで自己改善内容を聴くことを可能にする自己改善関連データの提供方法及び自己改善コンテンツの再生プログラムを提供することにある。
【課題を解決するための手段】
【０００６】
本発明の自己改善関連データの提供方法は、格納され再生を設定されている自己改善内容の音声メッセージ、及び格納され該音声メッセージの前若しくは後若しくは前後に再生を設定されている覚醒音とを、設定時刻の到来に基づき認識して連続再生する機能をクライアント端末に実現させる再生プログラムと、複数種類の自己改善内容の音声メッセージと、複数種類の覚醒音とを格納するサーバ装置が、通信ネットワークを介して接続するクライアント端末に、自己改善関連データを提供する方法であって、クライアント端末から、再生プログラムの配信要求を受信して、該配信要求に基づき再生プログラムをクライアント端末に配信し、自己改善内容の音声メッセージの指定情報と覚醒音の指定情報を受信して、各指定情報に対応する自己改善内容の音声メッセージと覚醒音をクライアント端末に配信することを特徴とし、自己改善関連データとして、再生プログラム、自己改善内容の音声メッセージ、覚醒音を配信する。
【０００７】
更に、本発明の自己改善関連データの提供方法は、複数の音声者による同一の自己改善内容の音声メッセージを格納するサーバ装置が、受信する指定情報に基づき所定音声者による自己改善内容の音声メッセージをクライアント端末に配信することを特徴とする。更に、自己改善内容の音声メッセージが表示可能な再生時間のデータを有することを特徴とし、前記再生時間は例えば自己改善内容の音声メッセージのヘッダ等に再生時間を記述し、自己改善内容の音声メッセージのタイトル、或いは自己改善内容の音声メッセージの詳細情報としてクライアント端末で表示される構成等とする。更に、無音データ若しくはリラックス状態にする音楽データ等のインターバル時間データを格納するサーバ装置が、インターバル時間の指定情報を受信して、該指定情報に基づきインターバル時間データをクライアント端末に配信することを特徴とする。
【０００８】
また、本発明の自己改善関連データの提供方法は、格納され再生を設定されている自己改善内容の音声メッセージ、及び格納され該音声メッセージの前若しくは後若しくは前後に再生を設定されている覚醒音とを、設定時刻の到来に基づき認識して連続再生する機能をクライアント端末に実現させる再生プログラムと、複数種類の自己改善内容の音声メッセージと、複数種類の覚醒音とを格納するサーバ装置から、通信ネットワークを介して接続するクライアント端末に、自己改善関連データを提供する方法であって、クライアント端末の表示画面で再生プログラムの配信要求の送信を促すステップと、配信要求に基づく再生プログラムをクライアント端末に受信させるステップと、クライアント端末の表示画面で自己改善内容の音声メッセージの指定情報と覚醒音の指定情報の送信を促すステップと、各指定情報に対応する自己改善内容の音声メッセージと覚醒音をクライアント端末に受信させるステップとを備えることを特徴とする。
【０００９】
また、本発明の自己改善コンテンツの再生プログラムは、複数種類の自己改善内容の音声メッセージと複数種類の覚醒音とを格納するサーバ装置から、通信ネットワークを介して接続するクライアント端末が指定情報の送信に基づき受信し、且つクライアント端末が格納している自己改善内容の音声メッセージ及び覚醒音で、再生を設定されている自己改善内容の音声メッセージ、及び該音声メッセージの前若しくは後若しくは前後に再生を設定されている覚醒音を、設定時刻の到来に基づき認識して連続再生する機能をクライアント端末に実現させることを特徴とする。
【００１０】
更に、本発明の自己改善コンテンツの再生プログラムは、各再生順位に再生される自己改善内容の音声メッセージが設定され、設定時刻の到来に基づき、各再生順位に再生を設定されている自己改善内容の音声メッセージと覚醒音を認識し、各再生順位の自己改善内容の音声メッセージを順次連続再生しながら自己改善内容の音声メッセージと覚醒音を連続再生する機能をクライアント端末に実現させることを特徴とする。
【００１１】
更に、本発明の自己改善コンテンツの再生プログラムは、自己改善内容の音声メッセージの連続再生回数が設定され、設定時刻の到来に基づき、再生を設定されている自己改善内容の音声メッセージと覚醒音を認識すると共に自己改善内容の音声メッセージの連続再生回数を認識し、該連続再生回数だけ自己改善内容の音声メッセージを連続再生しながら自己改善内容の音声メッセージと覚醒音を連続再生する機能をクライアント端末に実現させることを特徴とする。
【００１２】
更に、本発明の自己改善コンテンツの再生プログラムは、自己改善内容の音声メッセージの音量と覚醒音の音量が別に設定され、各設定音量で自己改善内容の音声メッセージと覚醒音をそれぞれ出力する機能をクライアント端末に実現させることを特徴とする。
【００１３】
更に、本発明の自己改善コンテンツの再生プログラムは、音声メッセージの後に再生を設定されている覚醒音の報知設定時刻が設定され、該報知設定時刻と、自己改善内容の音声メッセージが保持する再生時間を認識可能なデータ、若しくは自己改善内容の音声メッセージと該音声メッセージの前に再生を設定されている覚醒音が保持する再生時間を認識可能なデータとに基づき、該報知設定時刻から該音声メッセージの再生時間若しくは音声メッセージと覚醒音の再生時間だけ遡った前記音声メッセージと覚醒音の連続再生を開始する時刻を取得し、該取得時刻を前記設定時刻として設定する機能をクライアント端末に実現させることを特徴とする。
【００１４】
尚、本発明に於けるクライアント端末は、通信機能と受信する再生プログラムを格納して実行可能なものであれば、パーソナルコンピュータ、時計機器、その他の各種機器など適宜であるが、例えば携帯電話、簡易携帯電話（ＰＨＳ）、ＩＰ携帯電話、ＰＤＡ等、寝室や外泊先等に容易に持ち運べ、サーバ装置に接続容易な通信機能を有し且つＪＡＶＡ（登録商標）等のアプリケーションプログラムを設定可能な小型携帯情報端末とすると好適である。また、サーバ装置は、単数若しくは複数の物理的機器とすることが可能であり、例えば複数のサーバ機がイントラネットやインターネット等の通信ネットワークを介して接続される構成もサーバ装置に含まれる。
【００１５】
また、自己改善内容の音声メッセージの音声者や、覚醒音を音声とする場合の音声者は、実在の人物の他に、アニメーションのキャラクターなど架空の人物或いはその声優も含まれ、更に、著名人とすると好適であるが、任意の利用者の好みに合う音声を有する者であれば著名人に限定されない。また、音声メッセージの自己改善内容は誉め言葉など利用者の意識を肯定的に改善する内容であれば適宜である。更に、自己改善内容の音声メッセージの再生時間や自己改善内容の長さは適宜適する所定量のものとすることが可能である。更に、自己改善内容の音声メッセージは、音声に映像や画像が伴うものとしてもよい。
【００１６】
また、覚醒音は、例えば通常のアラーム音、楽曲、音声等とし、その再生時間は適宜適する所定量のものとすることが可能である。更に、覚醒音を音声とする場合に、例えば美容の内容で共通するなど音声メッセージの自己改善内容と関連する内容の音声とすることが可能であり、更に、自己改善内容の音声メッセージの音声者と同一人物による音声等とすることが可能である。
【００１７】
また、本発明は、各発明や実施形態に明細書の開示事項を追加したものや、各発明や実施形態の部分的な構成を他の開示事項の構成に変更したものや、各発明や実施形態の部分的な構成を部分的な効果が得られる限度で削除したものとすることが可能であり、更に、特徴的な構成をシステム、装置、方法、プログラム等の適宜の表現で特定したものとすることが可能である。
【発明の効果】
【００１８】
本発明は以下の第１〜第５の効果を全て奏する。
【００１９】
第１に、利用者は、再生プログラムで覚醒音と自己改善内容の音声メッセージで構成される自己改善コンテンツを設定し、設定時刻の到来で再生される自己改善コンテンツを起床の際に聴くことが可能となるから、利用者は特別に自己改善内容を聴く行為をせずとも、日常的な生活習慣の中で自己改善内容を聴くことができる。従って、多くの利用者が自己改善内容を持続して聴き続け、恒常的な意識改善を図ることが可能となる。
【００２０】
第２に、覚醒音の再生後に自己改善内容の音声メッセージを再生することにより、利用者は、覚醒音の報知で覚醒若しくは半覚醒し、脳波がα波やθ波である自己暗示に適した状態で自己改善内容の音声メッセージを聴くことができ、意識への浸透度合が高いタイミングで自己改善内容を聴いて意識改善を強化することができる。又は、自己改善内容の音声メッセージの再生後に覚醒音を再生することにより、利用者は、体内時計で覚醒若しくは半覚醒し、脳波がα波やθ波である自己暗示に適した状態で自己改善内容の音声メッセージを聴くことができ、意識への浸透度合が高いタイミングで自己改善内容を聴いて意識改善を強化することができると共に、覚醒音の再生で確実に起床することができる。
【００２１】
第３に、利用者は、複数種類の覚醒音の中から所望の覚醒音をサーバ装置から随時取得し、その覚醒音を自己改善内容の音声メッセージと組み合わせて自己改善コンテンツを構成し、起床の際に聴くことができる。即ち、同一の自己改善内容の音声メッセージを聴き続け、その内容を意識に浸透させ恒常的な意識改善を図る利用者に対し、変化に富む多様な自己改善コンテンツを提供して飽きを防止することが可能であり、利用者が同一の自己改善内容を持続して聴き続けることを支援することができる。
【００２２】
第４に、利用者は、クライアント端末に格納された覚醒音から、所望の覚醒音を自己改善内容の音声メッセージに随時組み合わせて再生プログラムで再生設定することが可能となるから、自己改善コンテンツを迅速に且つ手軽に変化させることができ、かかる点からも利用者の飽きを防止して、利用者が同一の自己改善内容を持続して聴き続けることを支援することができる。
【００２３】
第５に、コンテンツの提供者側は、自己改善内容の音声メッセージと覚醒音を配信する新たなコンテンツ配信事業を展開することができる。更に、自己改善内容の音声メッセージや覚醒音に対する需要が喚起され、自己改善内容の音声メッセージや覚醒音の著作権者に収益をもたらすことができる。
【００２４】
更に、複数の音声者による同一の自己改善内容の音声メッセージを準備し、利用者が指定する所定音声者による自己改善内容の音声メッセージを配信することで、利用者はより好みの音声者による音声メッセージを聴くことが可能となる。そして、利用者の音声者への好意により、自己改善内容を聴き続ける利用者の動機付けを強化することができると共に、利用者は威光暗示を利用して自己改善内容を意識へ強く浸透させることができる。また、利用者は同一の自己改善内容に対して異なる音声者による音声メッセージを随時取得し、異なる音声者による同一の自己改善内容を聴くことが可能になるので、音声者の変化により利用者が同一の自己改善内容を聴き続ける持続性を強化することができると共に、複数人から同一内容を聞かされることで暗示効果が高まる所謂社会的な合意性に基づき、自己改善内容を意識へ強く浸透させることができる。
【００２５】
更に、自己改善内容の音声メッセージの再生時間を表示可能にすることにより、利用者は再生時間の表示で自己改善内容の音声メッセージの再生時間を認知し、起床したい時刻から前記再生時間を目安に遡った時刻を自己改善コンテンツの再生開始時刻として簡単に設定することができる。
【００２６】
更に、各再生順位に設定された自己改善内容の音声メッセージを連続再生することにより、利用者はより希望に沿った音声メッセージを聴くことができ、利用者の便宜性に資する。例えば利用者は、複数種類の自己改善内容の音声メッセージを組み合わせて各再生順位に再生設定し、自分の希望により沿った組み合わせの自己改善内容をまとめて聴くことや、或いは、同一の自己改善内容で異なる音声者による音声メッセージを各再生順位に再生設定し、音声者への多様な嗜好性を充足しつつ、威光暗示や社会的な合意性による暗示効果で、自己改善内容による意識改善を促進することが可能となる。
【００２７】
更に、自己改善内容の音声メッセージを設定回数だけ連続再生することにより、利用者の意識への自己改善内容の浸透を強化し且つ速め、意識改善を促進することができると共に、利用者は覚醒時刻・起床時刻・意識を改善する程度等に基づき希望する回数だけ自己改善内容を聴くことができ、利用者の便宜性に資する。
【００２８】
更に、自己改善内容の音声メッセージの音量と覚醒音の音量を別に設定可能とし、各設定音量で自己改善内容の音声メッセージと覚醒音を出力することにより、利用者は、覚醒音の音量を大きく設定して、覚醒や起床することができると共に、自己改善内容の音声メッセージの音量を小さくし、脳波がα波やθ波の自己暗示に適した状態で且つ聴き続けるのに適した音量で自己改善内容の音声メッセージを聴くことができる。
【００２９】
更に、音声メッセージの後に再生を設定されている覚醒音の報知設定時刻から、音声メッセージの再生時間や音声メッセージと覚醒音の再生時間だけ遡った連続再生を開始する時刻を取得して設定することにより、利用者は、起床したい時刻を設定するのみで、起床時刻より前の所定時刻から自己改善内容を聴くことができ、利用者の便宜性に資する。
【発明を実施するための最良の形態】
【００３０】
本発明について、自己改善関連データの配信及び自己改善コンテンツの再生プログラムの実施形態に基づき説明する。
【００３１】
本実施形態の自己改善関連データの配信は、図１に示す全体構成の基で行われる。図１に於いて、１００は自己改善関連データとして再生プログラム・自己改善内容の音声メッセージ・覚醒音を配信する配信サーバ、２００は自己改善関連データの配信を受ける携帯電話であり、配信サーバ１００と携帯電話２００は、インターネット・ゲートウェイサーバ・携帯電話網・無線基地局で構成、或いは携帯電話網・無線基地局で構成される通信ネットワーク３００を介して適時に接続される。
【００３２】
配信サーバ１００は、通信制御部１０１、ＣＰＵや制御プログラムを格納するＲＯＭやＣＰＵのワーキングエリアとなるＲＡＭ等で構成される制御部１０２と、制御部１０２で用いられて配信サーバ１００をウェブサーバやアプリケーションサーバとして機能させるＣＧＩプログラム等のサーバプログラムを格納するサーバプログラム格納部１０３と、利用者へ提示する画面であるウェブページを格納するウェブページ格納部１０４と、例えば利用者ＩＤ・パスワード・氏名・住所・クレジットカード番号等の利用者に関する情報を格納する利用者情報データベース１０５と、再生を設定されている自己改善内容の音声メッセージと、音声メッセージの前若しくは後若しくは前後で再生を設定されている覚醒音とを、設定時刻の到来に基づき連続再生する機能を携帯電話２００に実現させるＪＡＶＡ（登録商標）のアプレット等のアプリケーションプログラムである再生プログラムを識別情報に対応して格納している再生プログラム格納部１０６と、各自己改善内容の音声メッセージを識別情報に対応して格納している音声メッセージデータベース１０７と、楽曲や音声メッセージ等の複数種類の覚醒音を識別情報に対応して格納している覚醒音データベース１０８とを備え、１０３〜１０８はハードディスク等の記憶部に設けられる。その他に図に省略した操作入力部、表示部等を備える。尚、配信サーバ１００は、複数のコンピュータをネットワークで接続して構成されるネットワークコンピュータとしてもよい。
【００３３】
自己改善内容は、例えば望ましい心情の在り方に関し「あなたは愛情に溢れており、いつも優しく寛容である」、美容に関し「あなたは輝きに満ちて美しく、私はあなたに惹かれています」、健康回復に関し「あなたの健康は日々益々回復し、エネルギーが満ちてきています」、仕事の発展に関し「あなたは喜びに溢れてお客様に奉仕し、益々仕事を繁栄させています」など、精神的な豊かさや物質的な豊かさに関する肯定的な内容とし、各自己改善内容はウェブページに記述され利用者に提示される。また、音声メッセージＤＢ１０６には、異なる自己改善内容の音声メッセージが準備され格納されていると共に、同一の自己改善内容毎に複数の音声者の音声による音声メッセージが準備され格納されており、同一の自己改善内容に対応する複数の音声メッセージは随時追加或いは変更されて更新される。尚、同一の自己改善内容に対応する複数の音声者による音声メッセージは、音声者により語尾など言い回し方等が若干異なるものでもよく、同趣旨であれば適宜である。また、音声メッセージの音声者は、例えば著名人、芸能人、アニメーションのキャラクター若しくはその声優等、利用者が好印象を持って音声者をイメージし、メッセージ内容について威光性を感じることが可能な者であればよい。また、自己改善内容の音声メッセージや覚醒音のファイル形式はｗａｖ形式、ｍｍｆ形式、ｍｌｄ形式など適宜であり、更に、自己改善内容の音声メッセージや覚醒音はｍｐｅｇ形式等で画像や映像を有するものとしてもよい。
【００３４】
携帯電話２００は、ＪＡＶＡアプレット等のアプリケーションプログラムの実行環境やブラウザー機能を有するものであり、通信制御を行う通信制御部２０１と、ＣＰＵや制御プログラムを格納するフラッシュメモリやＣＰＵの作業領域となるＳＲＡＭ等で構成され、所定プログラムに従って動作する制御部２０２と、フラッシュメモリ等で構成され、各種アプリケーションプログラムや自己改善内容の音声メッセージや覚醒音を格納する記憶部２０３と、利用者の操作入力を受け付けるボタン等の操作入力部２０４と、液晶若しくは有機ＥＬディスプレイ等の表示部２０５と、マイクロフォン２０６と、音声を出力するレシーバ２０７及びスピーカ２０８と、時刻を計測するタイマー２０９等を備える。
【００３５】
次に、本実施形態の自己改善関連データの配信過程について説明する（図２参照）。
【００３６】
先ず、利用者のＵＲＬやアクセス要求の入力に従って携帯電話２００は配信サーバ１００へアクセス要求を送信し、配信サーバ１００は、携帯電話２００からのアクセス要求を受信して接続を確立し、配信サーバ１００或いはその制御部１０２は、ウェブページ格納部１０４のウェブページを用い、会員登録画面の選択項目が示される所定画面を送信して提示する。そして、初期処理として、利用者の会員登録画面項目の選択入力に基づき、配信サーバ１００は、携帯電話２００から前記項目の要求情報を受信し、会員登録画面を携帯電話２００に送信して提示する。携帯電話２００或いはその制御部２０２は、配信サーバ１００から受信する会員登録画面を表示部２０５に表示し、例えば会員登録画面に於ける利用者の利用者ＩＤやパスワード等の必要情報の入力及び送信要求の入力に従い、利用者ＩＤやパスワード等の必要情報を配信サーバ１００へ送信する。配信サーバ１００は、利用者ＩＤやパスワード等の会員登録に必要な情報を受信して利用者情報ＤＢ１０５に格納し、会員登録を完了する。次回以降は利用者から送信される利用者ＩＤとパスワード等を照合して利用者の認証処理を実行する。尚、配信サーバ１００等が、利用者の携帯電話２００から送信されるサブスクライバＩＤ等の端末ＩＤに基づき利用者を登録・認証する構成としてもよく、又、認証処理で指紋等の生体情報を用いてもよく、又、自己改善内容の音声メッセージや覚醒音の配信に対する課金構成は、自己改善内容の音声メッセージや覚醒音毎の従量制課金や、月決め等の定額制課金など適宜である。
【００３７】
会員登録の完了に応じて或いは利用者認証の完了に応じて、配信サーバ１００は、再生プログラムの配信要求の項目と、自己改善内容の音声メッセージの項目と、覚醒音の項目が選択入力可能に表示される配信情報選択画面を携帯電話２００に送信し、他方で、携帯電話２００は、受信した配信情報選択画面を表示する。そして、利用者による再生プログラムの配信要求項目の指定入力に従い、携帯電話２００は、再生プログラムの配信要求を配信サーバ１００へ送信し（Ｓ２０１）、配信サーバ１００は、再生プログラムの配信要求の受信に応じて、再生プログラム格納部１０６から再生プログラムを抽出し、ＪＡＶＡアプレット等の再生プログラムを携帯電話２００にダウンロードさせて配信する（Ｓ１０１）。携帯電話２００は、再生プログラム２００を配信サーバ１００から受信し、起動可能な状態で記憶部２０３の所定記憶領域に格納する（Ｓ２０２）。
【００３８】
そして、自己改善内容の音声メッセージを取得する場合には、所定入力により配信情報選択画面に戻り、配信情報選択画面に於ける自己改善内容の音声メッセージ項目の指定入力に従い、携帯電話２００は、自己改善内容のカテゴリー選択画面の識別情報を配信サーバ１００へ送信し、配信サーバ１００は、前記識別情報の受信に応じて、「心情」、「健康」、「美容」、「仕事」等の自己改善内容のカテゴリー項目が選択入力可能に表示されるカテゴリー選択画面を携帯電話２００に送信し、他方で、携帯電話２００は、受信したカテゴリー選択画面を表示し、利用者が所望するカテゴリー項目の指定入力に従い、指定されたカテゴリーの自己改善内容選択画面の識別情報を配信サーバ１００へ送信する（Ｓ２０４）。
【００３９】
配信サーバ１００は、前記識別情報を受信して、そのカテゴリーに含まれる複数の自己改善内容のメッセージの文章がそれぞれ選択入力可能に表示される自己改善内容選択画面を携帯電話２００に送信し、他方で、携帯電話２００は、受信した自己改善内容選択画面を表示し、利用者が所望する自己改善内容のメッセージの指定入力に従い、指定された自己改善内容の音声者選択画面の識別情報を配信サーバ１００へ送信する。配信サーバ１００は、前記識別情報を受信し、その自己改善内容に対して格納している音声メッセージの音声者名の一覧が選択入力可能に表示される音声者選択画面を携帯電話２００に送信し、他方で、携帯電話２００は、受信する音声者選択画面を表示し、利用者による所望の音声者名の指定入力に従って、自己改善内容の識別情報が内包されている音声者の識別情報或いは自己改善内容の音声メッセージの識別情報を配信サーバ１００へ送信する（Ｓ２０３）。
【００４０】
配信サーバ１００或いは制御部１０２は、自己改善内容の識別情報が内包されている音声者の識別情報或いは自己改善内容の音声メッセージの識別情報の受信に応じて、前記識別情報に対応して音声メッセージＤＢ１０７に格納されている自己改善内容の音声メッセージを抽出し、前記自己改善内容の音声メッセージを携帯電話２００にダウンロードさせて配信する（Ｓ１０２）。携帯電話２００は、前記自己改善内容の音声メッセージを配信サーバ１００から受信し、記憶部２０３のデータフォルダに格納する（Ｓ２０４）。利用者は、上記処理と同様の処理で所望の自己改善内容の音声メッセージを適宜取得することが可能である。
【００４１】
また、覚醒音を取得する場合には、所定入力により配信情報選択画面に戻り、配信情報選択画面に於ける覚醒音の項目の指定入力に従い、携帯電話２００は、覚醒音選択画面の識別情報を配信サーバ１００へ送信し、配信サーバ１００は、前記識別情報の受信に応じて、覚醒音の一覧が選択入力可能に表示される覚醒音選択画面を携帯電話２００に送信し、他方で、携帯電話２００は、受信する覚醒音選択画面を表示し、利用者による所望の覚醒音の指定入力に従い、覚醒音の識別情報を配信サーバ１００へ送信する（Ｓ２０５）。配信サーバ１００或いは制御部１０２は、覚醒音の識別情報の受信に応じて、前記識別情報に対応して覚醒音ＤＢ１０８に格納されている覚醒音を抽出し、前記覚醒音を携帯電話２００にダウンロードさせて配信する（Ｓ１０３）。携帯電話２００は、前記覚醒音を配信サーバ１００から受信し、記憶部２０３のデータフォルダに格納する（Ｓ２０６）。利用者は、前記処理と同様の処理で所望の覚醒音を適宜取得することが可能である。
【００４２】
次に、本実施形態に於ける再生プログラムと協働する携帯電話２００の処理の流れについて説明する（図３参照）。
【００４３】
携帯電話２００の制御部２０２は、操作入力部２０４からの起動入力に応じて再生プログラムを起動し、制御部２０２は再生プログラムに従い、アラーム設定の項目が指定入力可能に表示される所定画面を表示し、前記所定画面でのアラーム設定項目の指定及び決定入力に応じて、アラーム時刻設定の項目とアラーム音設定の項目が選択入力可能に表示されるアラーム設定画面を表示する。アラーム設定画面でアラーム時刻設定項目が指定された場合、制御部２０２は、時刻入力欄が示される時刻入力画面を表示し、利用者が所望する時刻の入力及び決定入力に応じて、入力時刻を前記アラーム音の再生を開始する設定時刻として認識し、その設定時刻をアラーム音の再生を開始する時刻としてアラーム音の識別情報と対応させて記憶部２０３の所定記憶領域に格納する（Ｓ３０１）。
【００４４】
また、アラーム設定画面でアラーム音設定項目が指定された場合、制御部２０２は、「順位１」、「順位２」・・等のように再生順位が選択入力可能に表示される再生順位選択画面を表示し、利用者による最初の再生順位である「順位１」の指定及び決定入力に応じて、最初の再生順位である順位１に再生される再生音の設定項目・順位１の再生音の連続再生回数の設定項目・順位１の再生音の音量の設定項目が選択入力可能に表示される順位１の再生音設定画面を表示する。
【００４５】
前記順位１の再生音設定画面で、再生音の設定項目が指定された場合、制御部２０２は、データフォルダ内のデータを選択入力可能に表示し、データフォルダに記憶されている音データのうち所望の音データのタイトルの指定及び決定入力に応じ、前記音データを順位１の再生音として認識し、前記音データの識別情報を順位１に対応設定して記憶すると共に、前記音データのタイトルを前記再生音の設定項目の近傍に表示して順位１の再生音設定画面を表示する（Ｓ３０２）。更に、前記順位１の再生音設定画面で再生音の連続再生回数の設定項目が指定された場合、制御部２０２は、連続再生回数の入力欄が示される画面を表示し、所望の連続再生回数の入力及び決定入力に応じて、前記入力された連続再生回数を順位１の再生音の連続再生回数として認識し設定記憶すると共に、前記連続再生回数を順位１の再生音の連続再生回数の設定項目近傍に表示して順位１の再生音設定画面を表示する（Ｓ３０３）。更に、前記順位１の再生音設定画面で再生音の音量の設定項目が指定された場合、制御部２０２は、段階的な音量レベルが選択入力可能が示される画面を表示し、利用者が所望する所定段階の音量レベルの選択及び決定入力に応じて、前記所定段階の音量レベルを順位１の再生音の音量レベルとして認識し設定記憶すると共に、前記音量レベルの数値を順位１の再生音の音量の設定項目近傍に表示して順位１の再生音設定画面を表示する（Ｓ３０４）。前記順位１の再生音の識別情報・連続再生回数・音量レベルは再生プログラムにより記憶部２０３内に形成される所定記憶領域に、前記設定時刻に再生を開始するアラーム音の順位１の情報として、アラーム音の識別情報や上記アラーム音の設定時刻と対応させて格納する。
【００４６】
更に、戻る入力に応じて再生順位選択画面に戻り、利用者による「順位２」の指定及び決定入力に応じて、制御部２０２は、順位２に再生される再生音の設定項目・順位２の再生音の連続再生回数の設定項目・順位２の再生音の音量の設定項目が選択入力可能に表示される順位２の再生音設定画面を表示し、順位１の場合と同様に再生音・連続再生回数・音量が設定され、順位２の再生音の識別情報・連続再生回数・音量レベルは、記憶部２０３の所定記憶領域に、前記設定時刻に再生を開始するアラーム音の順位２の情報として、アラーム音の識別情報や上記アラーム音の設定時刻、及び順位１の再生音の識別情報・連続再生回数・音量レベルと関連付けて格納される。以下の順位３、順位４以降も同様に設定可能であり、利用者が必要な再生順位まで適宜再生音を設定可能である。
【００４７】
そして、前記構成で、例えば格納されているデータフォルダ内の覚醒音の中から順位１の再生音として所望の覚醒音を設定し、順位１の再生音（覚醒音）の連続再生回数を１回に設定し、順位１の再生音（覚醒音）の音量レベルを最大音量の５レベルに設定すると共に、格納されているデータフォルダ内の自己改善内容の音声メッセージの中から順位２の再生音として所望の自己改善内容の音声メッセージを設定し、順位２の再生音（自己改善内容の音声メッセージ）の連続再生回数を５回に設定し、順位２の再生音（自己改善内容の音声メッセージ）の音量レベルを中程度の音量である３レベルに設定して、覚醒音が音量レベル５で１回再生された後に自己改善内容の音声メッセージが音量レベル３で５回再生されるアラーム音或いは自己改善コンテンツを構成することができる。また、順位１に音量レベル４の覚醒音を１回・順位２に音量レベル２の自己改善内容の音声メッセージを１０回・順位３に音量レベル５の覚醒音を３回とする構成や、順位１に音量レベル３の覚醒音を２回・順位２〜６に音量レベル２の自己改善内容の音声メッセージを各１回若しくは適宜の連続再生回数とする構成や更には前記構成に順位７の音量レベル４の覚醒音を２回を付加する構成等とすることが可能であり、各再生順位の覚醒音や自己改善内容の音声メッセージの音量や連続再生回数、自己改善内容の音声メッセージを再生順位の範囲等は適宜設定可能である。
【００４８】
前記アラーム音が再生される場合には、携帯電話２００の制御部２０２が、タイマー２０９の時刻計測に基づき設定時刻の到来を認識し（Ｓ３０５）、設定時刻の到来に応じて再生プログラムを起動し、設定回数だけ再生或いは連続再生される各再生順位の再生音が再生順位に従って連続再生される構成のアラーム音を再生する構成であり、より詳細には、設定時刻の到来及び再生プログラムを起動に基づき、記憶部２０３の所定記憶領域に設定記憶されている順位１の再生音・連続再生回数・音量レベルの情報を認識し、前順位或いは順位１の再生音を抽出して前記音量レベルで順位１の再生音を再生してスピーカ２０８で出力し（Ｓ３０６）、再生音の再生終了信号に基づき再生終了を認識して再生終了回数をカウントして保持し、再生終了回数が連続再生回数と対比して再生終了回数が連続再生回数に到達したか判定し（Ｓ３０７）、再生終了回数が連続再生回数に到達していない場合には前記順位１の再生音を再生出力し、再生終了回数が連続再生回数に到達した場合には次順位或いは順位２の再生音の設定の有無を判定し（Ｓ３０８）、順位２の再生音の設定がある場合には順位２の再生音を前記順位１と同様の処理で再生出力し、順位２の再生音の設定がない場合には再生音の再生出力を終了する。順位３、順位４・・と再生音が設定されている場合には、設定されている所定の再生順位まで同様の処理を繰り返して各再生順位の再生音を順次再生する。従って、覚醒音と自己改善内容の音声メッセージの再生順や、自己改善内容の音声メッセージと覚醒音の再生順や、覚醒音と自己改善内容の音声メッセージと覚醒音の再生順等のアラーム音が設定時刻の到来に応じて再生出力される。
【００４９】
次に、上記実施形態の変形例について説明する。
【００５０】
先ず、配信サーバ１００が格納し配信する自己改善内容の音声メッセージは、例えばヘッダに再生時間が記述され、携帯電話２００に於いて、自己改善内容の音声メッセージデータの詳細情報等として再生時間が表示される構成とすると好適であり、自己改善内容の音声メッセージを複数組み合わせてアラーム音を構成する場合や、自己改善内容の音声メッセージが長い場合に、利用者は、起床時刻から遡ってアラーム音の再生開始時刻を容易に認識することができ、便宜性が高まる。更に、覚醒音データも同様に再生時間を表示可能な構成としてもよい。
【００５１】
また、上記順位１の自己改善内容の音声メッセージ或いは覚醒音の再生音の再生開始時刻を利用者が設定して携帯電話２００が格納する構成に代え、自己改善内容の音声メッセージや覚醒音をヘッダに再生時間が記述されたデータとし、携帯電話２００の制御部２０２が再生プログラムに従い、各再生順位の再生音・連続再生回数等を設定した後に、最後の再生順位に設定される覚醒音など再生音の報知設定時刻の入力欄が示される時刻入力画面を表示し、利用者が所望する時刻の入力及び決定入力に応じて、最後の再生順位より前の再生順位に設定されている自己改善内容の音声メッセージや覚醒音の各再生時間を認識し、連続再生回数として複数回数が設定されている再生順位の再生音については再生時間に設定されている連続再生回数を乗算する等で連続再生回数分の再生時間を取得し、これらを積算して総再生時間を取得し、前記報知設定時刻から前記総再生時間だけ遡った時刻を取得し、前記取得時刻を順位１の自己改善内容の音声メッセージ或いは覚醒音の再生を開始する設定時刻として設定記憶する構成とすると、利用者の便宜性を高められ好適である。
【００５２】
また、自己改善内容の音声メッセージや覚醒音は適宜の複製防止技術で複製防止処理を施したものとすると、不正コピーを防止し収益性を確保することができ好適である。また、自己改善内容の音声メッセージや覚醒音の配信構成はダウンロード以外にも適宜であり、例えば配信サーバ１００が、利用者情報ＤＢ１０５に格納するメールアドレスを抽出して電子メールを生成し、電子メールに自己改善内容の音声メッセージや覚醒音を添付して前記メールアドレスに配信する構成等とすることができる。
【００５３】
また、実在の音声者或いはキャラクターの場合には声優等による実際の音声を音声メッセージとする構成の他に、利用者が音声者を違和感なく想起できる程度に人工音声の精度が良い場合には、自己改善内容の音声メッセージを人工音声とすることも可能である。更に、音声メッセージの内容には、「あなた」等の利用者への呼びかけがある構成とすると、利用者へのメッセージであることを明確にし、意識浸透力を高めることができて好適である。また、人工音声により、呼びかけ部分を利用者の名前にした自己改善内容の音声メッセージを生成してもよく、例えば配信サーバ１００或いは制御部１０２が、利用者情報ＤＢ１０５の利用者の名前を、適宜の人工音声生成技術により自己改善内容の音声メッセージの音声者の音声で音声化し、その音声データを呼びかけ部分の位置情報を有する音声メッセージの呼びかけ部分に挿入する構成等とする。
【００５４】
また、例えば配信サーバ１００が、自己改善内容の音声メッセージの識別情報の受信に応じて、前記識別情報と対応する覚醒音の一覧画面を送信して提示し、前記一覧画面で選択された覚醒音を抽出して配信するよう構成で、自己改善内容に関連する内容の音声メッセージを覚醒音として格納し配信する構成や、自己改善内容の音声メッセージの音声者と同一音声者や関連性がある音声者による音声メッセージを覚醒音として格納し配信する構成とすると、利用者の娯楽性を高められて好適である。
【００５５】
また、例えば配信サーバ１００が送信する配信情報選択画面に無音データ或いはインターバル時間の選択項目を設け、配信サーバ１００が、無音データの指定情報の受信に応じて、５秒、１０秒、３０秒、１分、２分、３分、５分など複数種類の時間間隔の無音データを選択入力可能に表示する無音データ選択画面を携帯電話２００に送信し、携帯電話２００からの所定時間の無音データの指定情報の受信に応じて、ハードディスクの所定記憶領域に格納されている無音データを抽出し、その無音データを携帯電話２００に配信し、他方で、携帯電話２００では受信した無音データを記憶部２０３のデータフォルダに格納し、再生プログラムに於ける適宜の再生順位に前記無音データを設定する構成としてもよい。前記構成で、自己改善内容の音声メッセージとその前若しくは後の覚醒音との間、或いは自己改善内容の音声メッセージ相互間に所望の無音時間或いはインターバル時間を設けることが可能となり、利用者の便宜性を高めることができると共に、利用者は所望のペースや間隔に調整して自己改善内容の音声メッセージや覚醒音を聴くことができる。或いは、無音データに代えて、リラックス状態をもたらす音楽データ等をインターバル時間として配信し、適宜の順位に設定する等で用いてもよい。
【産業上の利用可能性】
【００５６】
本発明は、例えば携帯電話等に対するコンテンツ配信産業で利用することができる。
【図面の簡単な説明】
【００５７】
【図１】実施形態の自己改善関連データを提供する配信サーバ及び携帯電話による全体構成を示すブロック図。
【図２】実施形態の自己改善関連データの配信過程を示すフローチャート。
【図３】実施形態の再生プログラムと協働する携帯電話の処理過程を示すフローチャート。
【符号の説明】
【００５８】
１００  配信サーバ
１０６  再生プログラム格納部
１０７  音声メッセージデータベース
１０８  覚醒音データベース
２００  携帯電話
３００  通信ネットワーク
【図１】
2005270620.tif 000003
【図２】
2005270620.tif 000004
【図３】
2005270620.tif 000005